【手続補正書】
【提出日】平成19年9月26日(2007.9.26)
【手続補正１】
【補正対象書類名】明細書
【補正対象項目名】特許請求の範囲
【補正方法】変更
【補正の内容】
【特許請求の範囲】
【請求項１】  複数の回折格子を積層した回折光学素子において、
前記複数の回折格子は、それぞれ複数の格子面を有しており、
前記複数の回折格子のうち光の入射方向に沿って隣接する2つの回折格子の格子面は、光の入射方向に空気層を介して離間しており、
前記複数の回折格子のうち光の入射方向に沿って隣接する2つの回折格子は、一方の回折格子の光の入射方向に前記空気層に最も近い格子面の格子最上部と他方の回折格子の光の入射方向に前記空気層に最も近い格子面の格子最下部の間隔をＤ（μｍ）としたとき
１０μｍ＜Ｄ＜４０μｍ
を満足することを特徴とする回折光学素子。
【請求項２】  複数の回折格子を積層した回折光学素子において、
前記複数の回折格子は、それぞれ複数の格子面を有しており、
前記複数の回折格子のうち光の入射方向に沿って隣接する2つの回折格子の格子面は、光の入射方向に離間しており、
前記複数の回折格子のうち光の入射方向に沿って隣接する2つの回折格子は、一方の回折格子の光の入射方向に他方の回折格子の格子面に最も近い格子面の格子最上部と他方の回折格子の光の入射方向に一方の回折格子の格子面に最も近い格子面の格子最下部の間隔をＤ（μｍ）としたとき
１０μｍ＜Ｄ＜４０μｍ
を満足することを特徴とする回折光学素子。
【請求項３】  前記複数の回折格子のうち光の入射方向に沿って隣接する2つの回折格子は、分散の異なる材質からなることを特徴とする請求項１又は２に記載の回折光学素子。
【請求項４】  前記一方の回折格子は、射出成形したプラスチック製より成り、前記他方の回折格子は、紫外線硬化樹脂より成ることを特徴とする請求項１乃至３の何れか一項に記載の回折光学素子。
【請求項５】  請求項１乃至４の何れか一項に記載の回折光学素子を有することを特徴とする撮影光学系。
【手続補正２】
【補正対象書類名】明細書
【補正対象項目名】００１３
【補正方法】変更
【補正の内容】
【００１３】
【課題を解決するための手段】
請求項１の発明の回折光学素子は、複数の回折格子を積層した回折光学素子において、
前記複数の回折格子は、それぞれ複数の格子面を有しており、
前記複数の回折格子のうち光の入射方向に沿って隣接する2つの回折格子の格子面は、光の入射方向に空気層を介して離間しており、
前記複数の回折格子のうち光の入射方向に沿って隣接する2つの回折格子は、一方の回折格子の光の入射方向に前記空気層に最も近い格子面の格子最上部と他方の回折格子の光の入射方向に前記空気層に最も近い格子面の格子最下部の間隔をＤ（μｍ）としたとき
１０μｍ＜Ｄ＜４０μｍ
を満足することを特徴としている。
【手続補正３】
【補正対象書類名】明細書
【補正対象項目名】００１４
【補正方法】変更
【補正の内容】
【００１４】
請求項２の発明の回折光学素子は、複数の回折格子を積層した回折光学素子において、
前記複数の回折格子は、それぞれ複数の格子面を有しており、
前記複数の回折格子のうち光の入射方向に沿って隣接する2つの回折格子の格子面は、光の入射方向に離間しており、
前記複数の回折格子のうち光の入射方向に沿って隣接する2つの回折格子は、一方の回折格子の光の入射方向に他方の回折格子の格子面に最も近い格子面の格子最上部と他方の回折格子の光の入射方向に一方の回折格子の格子面に最も近い格子面の格子最下部の間隔をＤ（μｍ）としたとき
１０μｍ＜Ｄ＜４０μｍ
を満足することを特徴としている。
【手続補正４】
【補正対象書類名】明細書
【補正対象項目名】００１５
【補正方法】変更
【補正の内容】
【００１５】
請求項３の発明は請求項１又は２の発明において、前記複数の回折格子のうち光の入射方向に沿って隣接する2つの回折格子は、分散の異なる材質からなることを特徴としている。
【手続補正５】
【補正対象書類名】明細書
【補正対象項目名】００１６
【補正方法】変更
【補正の内容】
【００１６】
請求項４の発明は請求項１乃至３のいずれか１項の発明において、前記一方の回折格子は、射出成形したプラスチック製より成り、前記他方の回折格子は、紫外線硬化樹脂より成ることを特徴としている。
【手続補正６】
【補正対象書類名】明細書
【補正対象項目名】００１７
【補正方法】変更
【補正の内容】
【００１７】
請求項５の発明の撮影光学系は、請求項１乃至４の何れか一項に記載の回折光学素子を有することを特徴としている。
【手続補正７】
【補正対象書類名】明細書
【補正対象項目名】００１８
【補正方法】削除
【補正の内容】
【手続補正８】
【補正対象書類名】明細書
【補正対象項目名】００１９
【補正方法】削除
【補正の内容】
【手続補正９】
【補正対象書類名】明細書
【補正対象項目名】００２０
【補正方法】削除
【補正の内容】
【手続補正１０】
【補正対象書類名】明細書
【補正対象項目名】００２１
【補正方法】削除
【補正の内容】
【手続補正１１】
【補正対象書類名】明細書
【補正対象項目名】００２２
【補正方法】削除
【補正の内容】
【手続補正１２】
【補正対象書類名】明細書
【補正対象項目名】００２３
【補正方法】削除
【補正の内容】
【手続補正１３】
【補正対象書類名】明細書
【補正対象項目名】００２４
【補正方法】削除
【補正の内容】
【手続補正１４】
【補正対象書類名】明細書
【補正対象項目名】００２５
【補正方法】削除
【補正の内容】
【手続補正１５】
【補正対象書類名】明細書
【補正対象項目名】００２７
【補正方法】変更
【補正の内容】
【００２７】
図１においてＢＯは回折光学素子であり、射出成形によって成形された第１の回折格子１と、格子ピッチは同じであるが第１の回折格子１の媒質と異なる分散を持つ媒質によって形成された第２の回折格子２とを空気層ａｉｒ又は光学材料（屈折率ｎ＞１）を介して対向配置（離間）している。同図は空気層ａｉｒの場合を示している。ｄ1、ｄ2は、第１、第２の回折格子１、２の格子厚さであり、互いに異なっている。本実施形態では図１に示すように基板と回折格子を射出成形により一体にして第１の回折格子１を成形している。これにより、製作を容易にしている。又、第２の回折格子２は基板６上に紫外線硬化樹脂で回折格子５を形成し、射出成形で製作された回折格子１と互いに格子面が向かい合うように対向配置している。ここで基板６は平行平板又は曲面を有するものであっても良い。
【手続補正１６】
【補正対象書類名】明細書
【補正対象項目名】００２９
【補正方法】変更
【補正の内容】
【００２９】
例えば、図１では回折格子１の媒質として射出成形可能なプラスチック光学材料（プラスチック製）である商品名ＸＥＯＮＥＸ（日本ゼオン（株））、回折格子２の媒質は、積層という観点と分散を異なるようにするため、回折格子１よりも分散の高い媒質として、紫外線硬化樹脂である商品名ＵＶ１０００（三菱化学（株））を用いている。このため、本実施形態ではそれぞれの回折格子１、２の媒質の屈折率と波長の関係からそれぞれの格子厚はｄ1=８．２μｍ、ｄ2＝５．９μｍとなっている。
【手続補正１７】
【補正対象書類名】明細書
【補正対象項目名】００３０
【補正方法】変更
【補正の内容】
【００３０】
本実施形態では、図１から明らかのように光の入射方向に空気層ａｉｒに最も近い一方の回折格子１の格子面の格子最上部と空気層ａｉｒに最も近い他方の回折格子５の格子面の格子最下部の間隔Ｄ（μｍ）が
１０μｍ＜Ｄ＜４０μｍ    ・・・（１）
を満足するようにしている。
【手続補正１８】
【補正対象書類名】明細書
【補正対象項目名】００３７
【補正方法】変更
【補正の内容】
【００３７】
本実施形態において図２から明らかのように射出成形された一方の回折格子１の格子面１ａの格子最上部と向かい合わせて格子面７ａを形成している他方の回折格子７の格子最下部との距離（間隔）をＤとすると、この距離Ｄは１０μｍよりも大きく４０μｍよりも小さい幅を持っている。Ｄ＜１０μｍであると回折格子７を成形するための型が回折格子１にぶつかる可能性が高くなってしまい、Ｄ＞４０μｍを超えてしまうと回折光学素子自身がかなり厚みを持ってしまうため所望の性能より悪化してしまう。本実施形態ではＤ＝３０μｍとなっている。